(57)【特許請求の範囲】
【請求項１】
透水性シート材料でつくられた袋をフィルタ本体として含む使い捨ての喫茶用フィルタであって、
前記本体が、頂部開口と前記開口に対向している底部とこれら両部間に位置する周壁部とを有していて、該本体よりも大きくて不透水性シート材料でつくられた外袋の内側に、互いの頂部開口と底部と周壁部との位置をほぼ一致させて納められ、これら本体と外袋とが、同時に開口可能となり、かつ、実質的に取り外すことができないように、互いの頂部開口縁部に近い部位において前記頂部開口の周り方向で互いに部分的に接合しており、
前記外袋は、その底部に該外袋に透水性を付与することが可能な径０．２〜５ｍｍを有する透孔が底部の長さ５０ｍｍ当りについて１〜２０ケ所の割合で形成されており、該外袋の周壁部外面に該外袋をコーヒーカップや湯呑み茶碗等のカップ類の開口にかざすことを可能にする支持手段が形成されていることを特徴とする前記喫茶用フィルタ。
【請求項２】
前記支持手段が、概ね環状を呈することにより前記カップ類の開口縁部に載置可能に形成されている支持部材であって、前記外袋が前記支持部材の内側に位置していて、前記支持部材が環状を呈するときに前記外袋とその内側の前記本体との頂部開口が大きく広がり得るように前記外袋と支持部材とが互いに接合している請求項１に記載の喫茶用フィルタ。
【請求項３】
前記支持手段が、前記外袋の周壁部外面に形成されていて、前記周壁の周り方向に向かって開孔している透孔である請求項１に記載の喫茶用フィルタ。
【請求項４】
前記本体と外袋とが、接着、溶着、エンボス加工、デボス加工のいずれかによって接合している請求項１〜３のいずれかに記載の喫茶用フィルタ。
【発明の詳細な説明】
【０００１】
【発明の属する技術分野】
この発明は、コーヒーや茶を入れるときに使用するのに好適な使い捨てのフィルタに関する。
【０００２】
【従来の技術】
実登３０００４２３号公報に開示の使い捨ての喫茶用フィルタは、袋状のフィルタ本体と、比較的高剛性の環状の支持部材とで構成されていて、本体の開口縁部が環状部材の内周面に固定されている。この喫茶用フィルタでは、環状部材をコーヒーカップや湯呑み茶碗等のカップ類の開口縁に載置することによって、コーヒー粉末や茶葉を入れた袋状の本体をカップ類の上にかざすことができるから、湯を注ぐときに本体や環状部材を手で支える必要がない。
【０００３】
【発明が解決しようとする課題】
前記公知の喫茶用フィルタでは、フィルタの抽出速度が速すぎて、例えばコーヒー粉末と湯との接触時間が短すぎる場合には、湯をゆっくりと注がねばならない。そのようにすることは、例えば湯を注ぐためのポットを長く持ち続けることになるから、そうした手間は極力排除することが好ましい。
【０００４】
そこで、この発明は、前記公知の喫茶用フィルタにおいて、速すぎる抽出速度の抑制を課題にしている。
【０００５】
【課題を解決するための手段】
前記課題を解決するために、この発明が対象とするのは、透水性シート材料でつくられた袋をフィルタ本体として含む使い捨ての喫茶用フィルタである。
【０００６】
かかる喫茶用フィルタにおいて、この発明が特徴とするところは、前記本体が、頂部開口と前記開口に対向している底部とこれら両部間に位置する周壁部とを有していて、該本体よりも大きくて不透水性シート材料でつくられた外袋の内側に、互いの頂部開口と底部と周壁部との位置をほぼ一致させて納められ、これら本体と外袋とが、同時に開口可能となり、かつ、実質的に取り外すことができないように、互いの頂部開口縁部に近い部位において前記頂部開口の周り方向で互いに部分的に接合しており、前記外袋は、その底部に該外袋に透水性を付与することが可能な径０．２〜５ｍｍを有する透孔が底部の長さ５０ｍｍ当りについて１〜２０ケ所の割合で形成されており、該外袋の周壁部外面に該外袋をコーヒーカップや湯呑み茶碗等のカップ類の開口にかざすことを可能にする支持手段が形成されていること、にある。
【０００７】
【発明の実施の形態】
添付の図面を参照して、この発明に係る使い捨ての喫茶用フィルタの詳細を説明すると、以下のとおりである。
【０００８】
図１は、喫茶用フィルタ１の使用状態を示す斜視図である。喫茶用フィルタ１は、内袋２と、外袋３と、環状部材４とで構成されていて、内袋２の中にはコーヒー粉末６が所要量入れられており、環状部材４がコーヒーカップ７の開口縁部８に載置されている。環状部材４は、その下縁部９に形成されている逆Ｖ字状の切り欠き部１１を利用して、下縁部９の周り方向の一部分がカップ７の内側となり、残余の部分がカップ７の外側となるようにしてカップ開口縁部８を挟んでいる。環状部材４の内側で大きく開口している内袋２に湯を注ぎコーヒーを抽出する。
【０００９】
図２，３は喫茶用フィルタ１の部分破断斜視図と、そのＩＩＩ−ＩＩＩ線による断面図である。内袋２は、頂部開口１２と、底部１３と、これらの間に位置する周壁部１４とを有するもので、パルプ１００％のろ紙が底部１３で折曲されて重ねられ、両側縁部１６でそれら重なり合うろ紙どうしがエンボス加工を施されて一体化している。かかる内袋２は、その平面形状がほぼ逆台形を呈している。内袋２には、ろ紙に代えて透水性の不織布や織布、プラスチック製ネット等を使用することもできる。
【００１０】
外袋３は、内袋２よりもやや大きく、その内側に内袋２を収容することができるもので、頂部開口２２と、底部２３と、これらの間に位置する周壁部２４とを有しており、薄手のプラスチックシートや金属箔、これらのラミネートシート等の不透水性シートが底部２３で折曲されて重ねられ、両側縁部２６では重なり合うシートどうしがエンボス加工や溶着加工を施されて接合している。底部２３には、外袋３の内外を貫通する径が約０．２〜５ｍｍの透孔１９が底部２３の長さ５０ｍｍ当りについて１〜２０ケ所の割合で形成されている。
【００１１】
環状部材４は、前記実登３０００４２３号公報に開示されている類のものであって、図示例のそれは、内外の袋２，３に使用されているシート材料よりも高い剛性を有する矩形の紙やプラスチックシートを２枚重ね合わせ、両側縁部１７を接着、溶着、エンボス加工等によって接合することで形成されている。
【００１２】
内袋２と外袋３とは、それぞれの頂部開口１２と２２、底部１３と２３、および周壁部１４と２４の位置をほぼ一致させてそれぞれの開口縁部に近い部位２８において、実質的に剥離することがないように、互いに接合している。部位２８は、内外の袋２，３が一体となって開口するように開口１２，２２の周り方向に少なくとも２箇所形成されていることが好ましい。外袋３と環状部材４、または内袋２と外袋３と環状部材４とは、部位２９において、実質的に剥離することがないように互いに接合している。部位２９は、環状を呈する部材４に支えられて内袋２と外袋３とが大きく開口するように、環状部材４の周り方向に少なくとも２箇所形成されていることが好ましい。図３は、環状部材４に対して外袋３だけが接合している態様を例示している。
【００１３】
このように構成されている喫茶用フィルタ１を図１の態様で使用するときに、内袋２へ注入した湯がコーヒーを抽出して内袋２の外へ出たのち、その湯がカップ７へと滴下する速度は、外袋３の透孔１９によって規制される。透水性シート材料の種類によっては、内袋２の抽出速度が速すぎるという場合があるが、そのような場合に、この喫茶用フィルタ１であれば外袋３の透孔１９の径や数量の選択によってカップ７への滴下速度を抑え、注入した湯とコーヒー粉末６との接触時間を長くすることが可能になる。かかる外袋３は、それを使用する者が自らの好みに応じて透孔１９の径を大きくしたり数量を増やしたりすることもできる。
【００１４】
図４は、この発明の実施態様の一例を示す喫茶用フィルタ１の部分破断斜視図である。この喫茶用フィルタ１は、ホルダー３３を使用してカップ７の縁部８に載置されている。外袋３の外面には、半円筒状の部材３４が接合していて、外袋３と部材３４との間には、ホルダー３３のアーム３６挿通用の透孔３７が外袋３の周り方向へ延びている。ホルダー３３は、Ｙ字型のもので、２本のアーム３６を有し、外袋３には各アーム３６に対応する二つの透孔３７が形成されているが、図にはそのうちの一方が部材３４の一部を破断して示されている。かかる喫茶用フィルタ１における支持手段とは、透孔３７である。
【００１５】
この発明に係る喫茶用フィルタのシート素材どうしの接合や部材どうしの接合は、エンボス加工やデボス加工、溶着加工によることが好ましい。これらの加工であれば、内袋２に熱湯を注いでも、接合部位から風味を損うものが溶出する恐れはない。
【００１６】
【発明の効果】
この発明に係る喫茶用フィルタは、透水性シート材料で作られた内袋と、不透水性シート材料で作られた外袋とで構成されていて、外袋の底部には、抽出液の滴下速度を抑制可能な透孔が形成されているから、内袋の抽出速度が速すぎる場合でも、コーヒー粉末等の抽出物との接触時間を十分に長くすることができる。
【図面の簡単な説明】
【図１】  使用状態にある喫茶用フィルタの斜視図。
【図２】  喫茶用フィルタの部分破断斜視図。
【図３】  図２のＩＩＩ−ＩＩＩ線断面図。
【図４】  実施態様の一例を示す喫茶用フィルタの斜視図。
【符号の説明】
１    喫茶用フィルタ
２    フィルタ本体（内袋）
３    外袋
４    支持手段（環状部材）
１２，２２    頂部開口
１３，２３    底部
１４，２４    周壁
１９    透孔
３７    支持手段（透孔）
【図１】
0003739909.tif 000002
【図２】
0003739909.tif 000003
【図３】
0003739909.tif 000004
【図４】
0003739909.tif 000005